(57)【要約】【課題】表面のソフト感に優れ、しかも乗員の支持特性も良好な車両用シートパッドを一体的に発泡成形により製造することができるシートパッドを提供する。【解決手段】車両用シートパッド１の腿下部２と尻下部３の上面に、直交方向に延在する溝８を設けることにより、多数の凸部９が設けられている。溝８は座面と垂直な断面が角形の角形溝であり、凸部９は基端（下端）から先端（上端）に至るまで水平断面形状が均一な正方形となっている。凸部９の頂面は正方形となっている。溝８の深さｈは５〜２０ｍｍ、幅ｗは５〜２０ｍｍ、頂面の一辺の寸法ｔは５〜２０ｍｍ、頂面の面積は２５〜４００ｍｍ２である。【選択図】図２
2009078142.tif 000002
【特許請求の範囲】
【請求項１】
樹脂発泡成形体よりなる車両用シートパッドにおいて、
乗員当接面の少なくとも一部の領域に複数の凸部を設けたことを特徴とする車両用シートパッド。
【請求項２】
請求項１において、該凸部同士の間は該乗員当接面よりも凹陥する凹部となっていることを特徴とする車両用シートパッド。
【請求項３】
請求項２において、前記凸部を設けた領域における凸部の体積率が１０〜８０％であることを特徴とする車両用シートパッド。
【請求項４】
請求項３において、前記凸部の体積率が４０〜６０％であることを特徴とする車両用シートパッド。
【請求項５】
請求項２ないし４のいずれか１項において、前記凸部の頂面と側面とが交わる上角縁、及び、前記凸部の側面と凹部の底面とが交わる下角縁の少なくとも一方が曲面となっていることを特徴とする車両用シートパッド。
【請求項６】
請求項５において、該上角縁及び下角縁の双方が曲面となっており、双方の曲面が連なっていることを特徴とする車両用シートパッド。
【請求項７】
請求項２ないし６のいずれか１項において、該凹部は溝であることを特徴とする車両用シートパッド。
【請求項８】
請求項７において、前記溝の底部からの凸部の高さが５〜２０ｍｍであることを特徴とする車両用シートパッド。
【請求項９】
請求項７又は８において、前記溝の幅が５〜２０ｍｍであることを特徴とする車両用シートパッド。
【請求項１０】
請求項７ないし９のいずれか１項において、前記溝は直交２方向に延在していることを特徴とする車両用シートパッド。
【請求項１１】
請求項１ないし１０のいずれか１項において、前記凸部の平面視形状（乗員当接面と正対視した形状）が三角形、方形、多角形、円形又は長円形であることを特徴とする車両用シートパッド。
【請求項１２】
請求項１ないし１１のいずれか１項において、１個の凸部の高さ方向の中間の水平断面積（凸部高さ方向と直交方向の断面積）が２５〜４００ｍｍ２であることを特徴とする車両用シートパッド。
【請求項１３】
請求項１ないし１２のいずれか１項において、前記凸部の頂面が平坦であることを特徴とする車両用シートパッド。
【請求項１４】
請求項１ないし１３のいずれか１項において、前記凸部の水平断面積は、高さ方向において略同一となっていることを特徴とする車両用シートパッド。
【請求項１５】
請求項１ないし１３のいずれか１項において、前記凸部は、水平断面積が基端側ほど大きいことを特徴とする車両用シートパッド。
【請求項１６】
請求項１ないし１５のいずれか１項において、腿下部にのみ前記凸部が設けられていることを特徴とする車両用シートパッド。
【請求項１７】
請求項１ないし１５のいずれか１項において、尻下部以外の領域に前記凸部が設けられていることを特徴とする車両用シートパッド。
【請求項１８】
請求項１ないし１５のいずれか１項において、骨盤支持部以外の領域に前記凸部が設けられていることを特徴とする車両用シートパッド。
【請求項１９】
請求項１ないし１５のいずれか１項において、サイドサポート部に前記凸部が設けられていることを特徴とする車両用シートパッド。
【請求項２０】
請求項１ないし１９のいずれか１項において、密度３５〜１００ｋｇ／ｍ３、２５％ＩＬＤ硬度１５〜４５ｋｇｆ／２００ｍｍφのポリウレタンフォームよりなることを特徴とする車両用シートパッド。
【請求項２１】
請求項１ないし２０のいずれか１項に記載の車両用シートパッドを製造する方法であって、
上型及び下型を有し、該下型のキャビティ面に、厚み方向に多数の孔が貫通した板状体が配置された成形用金型を用いて成形することを特徴とする車両用シートパッドの製造方法。
【請求項２２】
請求項１ないし２０のいずれか１項に記載の車両用シートパッドを製造する方法であって、
一体に発泡成形された成形体に切削加工を施すことにより前記凸部を形成することを特徴とする車両用シートパッドの製造方法。
【発明の詳細な説明】
【技術分野】
【０００１】
本発明は車両用シートパッド及びその製造方法に係り、特に乗員当接面にソフト感を持たせた車両用シートパッド及びその製造方法に関する。
【背景技術】
【０００２】
従来、自動車等のシートの着座部に取り付けられるシートクッションパッドは、尻下部及び腿下部と座面両サイドのサイド土手部と後端部とで構成され、金型に、ポリオール成分配合液とイソシアネート成分とを混合してなるウレタン配合原液を注入して発泡成形することにより製造されている。背もたれ部に取り付けられるシートバックパッドも、上部背もたれ部及び下部背もたれ部と、その両サイドのサイド土手部と上端部及び下端部とで構成され、同様に製造される。
【０００３】
車両用シートパッドにおいては、乗員の尻部や背中が直接に当る腿下部や尻下部は、搭乗者の体重が多くかかり、この部分の材質は座り心地や乗り心地と密接な関係がある。
【０００４】
そこで、座り心地に最も影響の大きい座面を高密度部とし、その他の部位を低密度部とするなどの改良を加えた車両用シートクッションパッドが種々提案されている。
【０００５】
例えば、特開２００２−１５３３５７号公報には、座面の尻下部以外の一部又は全部を尻下部よりも低密度でかつ硬度はほぼ同等とした車両用シートクッションパッドが記載されているが、異種材料を用いて発泡成形することはコスト高である。
【０００６】
また、従来より、スラブウレタンフォームをパッド本体に貼り合わせた車両用シートパッドも用いられている（例えば、特開平９−２７１４２３号公報）。しかしながら、スラブ貼り付けにコストがかかる。
【０００７】
特開平１１−３４８６２９号公報には、ポリウレタンフォーム製シートパッドの尻下部の表面に、５０ｍｍの間隔で縦横に深さ５ｍｍのスリットを設けることにより、表面のソフト感を向上させることが記載されている。
【０００８】
しかしながら、同号公報の図３及び図４に示されるように、同号公報では直径５０ｍｍの負荷子をパッド表面に押し当てて硬さを測定して、表面がソフトになると判断しているものであり、乗員の尻や腿など、面積の大きい部位が当接する時には、上記のスリットがソフト感の感取に殆ど寄与せず、ソフト感は十分には向上しない。
【特許文献１】特開２００２−１５３３５７号公報
【特許文献２】特開平９−２７１４２３号公報
【特許文献３】特開平１１−３４８６２９号公報
【発明の開示】
【発明が解決しようとする課題】
【０００９】
本発明は、上記従来の問題点を解決し、表面のソフト感に優れ、しかも乗員の支持特性も良好な車両用シートパッドを提供することを目的とする。
【課題を解決するための手段】
【００１０】
本発明（請求項１）の車両用シートパッドは、樹脂発泡成形体よりなる車両用シートパッドにおいて、乗員当接面の少なくとも一部の領域に複数の凸部を設けたことを特徴とするものである。
【００１１】
請求項２の車両用シートパッドは、請求項１において、該凸部同士の間は該乗員当接面よりも凹陥する凹部となっていることを特徴とするものである。
【００１２】
請求項３の車両用シートパッドは、請求項２において、前記凸部を設けた領域における凸部の体積率が１０〜８０％であることを特徴とするものである。
【００１３】
請求項４の車両用シートパッドは、請求項３において、前記凸部の体積率が４０〜６０％であることを特徴とするものである。
【００１４】
請求項５の車両用シートパッドは、請求項２ないし４のいずれか１項において、前記凸部の頂面と側面とが交わる上角縁、及び、前記凸部の側面と凹部の底面とが交わる下角縁の少なくとも一方が曲面となっていることを特徴とするものである。
【００１５】
請求項６の車両用シートパッドは、請求項５において、該上角縁及び下角縁の双方が曲面となっており、双方の曲面が連なっていることを特徴とするものである。
【００１６】
請求項７の車両用シートパッドは、請求項２ないし６のいずれか１項において、該凹部は溝であることを特徴とするものである。
【００１７】
請求項８の車両用シートパッドは、請求項７において、前記溝の底部からの凸部の高さが５〜２０ｍｍであることを特徴とするものである。
【００１８】
請求項９の車両用シートパッドは、請求項７又は８において、前記溝の幅が５〜２０ｍｍであることを特徴とするものである。
【００１９】
請求項１０の車両用シートパッドは、請求項７ないし９のいずれか１項において、前記溝は直交２方向に延在していることを特徴とするものである。
【００２０】
請求項１１の車両用シートパッドは、請求項１ないし１０のいずれか１項において、前記凸部の平面視形状（乗員当接面と正対視した形状）が三角形、方形、多角形、円形又は長円形であることを特徴とするものである。
【００２１】
請求項１２の車両用シートパッドは、請求項１ないし１１のいずれか１項において、１個の凸部の高さ方向の中間の水平断面積（凸部高さ方向と直交方向の断面積）が２５〜４００ｍｍ２であることを特徴とするものである。
【００２２】
請求項１３の車両用シートパッドは、請求項１ないし１２のいずれか１項において、前記凸部の頂面が平坦であることを特徴とするものである。
【００２３】
請求項１４の車両用シートパッドは、請求項１ないし１３のいずれか１項において、前記凸部の水平断面積は、高さ方向において略同一となっていることを特徴とするものである。
【００２４】
請求項１５の車両用シートパッドは、請求項１ないし１３のいずれか１項において、前記凸部は、水平断面積が基端側ほど大きいことを特徴とするものである。
【００２５】
請求項１６の車両用シートパッドは、請求項１ないし１５のいずれか１項において、腿下部にのみ前記凸部が設けられていることを特徴とするものである。
【００２６】
請求項１７の車両用シートパッドは、請求項１ないし１５のいずれか１項において、尻下部以外の領域に前記凸部が設けられていることを特徴とするものである。
【００２７】
請求項１８の車両用シートパッドは、請求項１ないし１５のいずれか１項において、骨盤支持部以外の領域に前記凸部が設けられていることを特徴とするものである。
【００２８】
請求項１９の車両用シートパッドは、請求項１ないし１５のいずれか１項において、サイドサポート部に前記凸部が設けられていることを特徴とするものである。
【００２９】
請求項２０の車両用シートパッドは、請求項１ないし１９のいずれか１項において、密度３５〜１００ｋｇ／ｍ３、２５％ＩＬＤ硬度１５〜４５ｋｇｆ／２００ｍｍφのポリウレタンフォームよりなることを特徴とするものである。
【００３０】
本発明（請求項２１）の車両用シートパッドの製造方法は、請求項１ないし２０のいずれか１項に記載の車両用シートパッドを製造する方法であって、上型及び下型を有し、該下型のキャビティ面に、厚み方向に多数の孔が貫通した板状体が配置された成形用金型を用いて成形することを特徴とするものである。
【００３１】
本発明（請求項２２）の車両用シートパッドの製造方法は、請求項１ないし２０のいずれか１項に記載の車両用シートパッドを製造する方法であって、一体に発泡成形された成形体に切削加工を施すことにより前記凸部を形成することを特徴とするものである。
【発明の効果】
【００３２】
本発明の車両用シートパッドにあっては、乗員当接面の少なくとも一部に凸部を設けている。この凸部を設けたことにより、乗員がこの乗員当接面に当接したときに凸部が圧縮変形するようになるので、乗員当接面のソフト感が向上する。凸部が所定以上に圧縮変形すると、凸部の反発力が増大し、乗員がしっかりと支持されるようになる。
【００３３】
この凸部同士の間は該乗員当接面よりも凹陥する凹部、例えば溝となっていることが好ましい。
【００３４】
溝の幅を５〜２０ｍｍとしたり、凸部の高さ方向中間の水平断面積を２５〜４００ｍｍ２としたり、凸部の高さを５〜２０ｍｍとすることにより、凸部が座屈することなく圧縮変形するようになり、着座感が良好となる。
【００３５】
また、凸部の体積率を１０〜８０％、特に４０〜６０％とすることにより、ソフト感が良好となると共に、凸部の耐久性が良好となる。また、凸部の頂面を平坦とすることにより、乗員当接面の触感が好適なものとなる。
【００３６】
上記の溝は、直交２方向に設けるのが簡便であると共に、着座感に異方性がなく、好適である。
【００３７】
本発明では、凸部は車両用シートパッドの成形時に形成されてもよく、成形後に切削加工することにより形成されてもよい。
【発明を実施するための最良の形態】
【００３８】
以下、図面を参照して実施の形態について説明する。
【００３９】
第１図は実施の形態に係る車両用シートパッドの平面図、第２図は座面の拡大斜視図、第３図は第２図のIII−III線に沿う断面図である。
【００４０】
この車両用シートパッド１は、全体として一体に発泡成形されたポリウレタンフォームよりなり、腿下部２、尻下部３、サイド部４を有する。
【００４１】
車両用シートパッド１の上面には、表皮材（図示略）を吊り込むための、前後方向の吊込溝５と横幅方向の吊込溝６とがＨ字形状を呈するように設けられている。この吊込溝５よりも前方で且つ左右の吊込溝６，６の間の部分が腿下部２となっている。また、吊込溝５よりも後方で吊込溝６，６の間が尻下部３となっている。
【００４２】
この車両用シートパッド１の腿下部２の上面に、直交方向に延在する溝８を設けることにより、多数の凸部９が設けられている。溝８は座面と垂直な断面が角形の角形溝であり、凸部９は基端（下端）から先端（上端）に至るまで水平断面形状が均一な正方形となっている。ただし、凸部９の平面視形状は、後述の通り、長方形、多角形、円形、楕円形など他の形状であってもよい。また、凸部９の水平断面形状は、高さ方向において変化してもよい。
【００４３】
この実施の形態では、溝８は車両用シートパッド１の前後方向及び左右方向に延在しているが、これらを前後方向に対し斜交方向に延在させてもよい。
【００４４】
凸部９の高さ即ち溝８の深さｈは５〜２０ｍｍ特に１０〜１５ｍｍ、溝８の幅ｗは５〜２０ｍｍ特に１０〜１５ｍｍ、凸部９の頂面の一辺の寸法ｔは５〜２０ｍｍ特に１０〜１５ｍｍ、頂面の面積及び水平断面積（凸部９の高さ方向と垂直方向の断面積）は２５〜４００ｍｍ２特に１００〜２２５ｍｍ２であることが好ましい。なお、凸部の水平断面積は高さ方向において変化してもよく、この場合、凸部の高さ方向の中間における水平断面積が２５〜４００ｍｍ２であることが好ましい。
【００４５】
凸部９の体積率は１０〜８０％特に４０〜６０％が好ましい。この凸部の体積率とは、凸部９及び溝８を設けた領域の面積（第１図のａ×ｂ）に溝８の深さｈを乗じて得た体積ａ・ｂ・ｈに対して凸部９の体積が占める比率をいう。この体積率を１０〜８０％とすることにより、腿下部のソフト感が良好となる。また、４０〜６０％とすることにより、ソフト感が良好になると共に、凸部の耐久性が良好となる。なお、この体積率が過度に小さいと、着座時の安定性が悪くなり、逆に過度に大きいと、凸部が圧縮変形するときに隣りの凸部と干渉し、着座時のソフト感が不足するようになる。
【００４６】
この車両用シートパッド１は、密度３５〜１００ｋｇ／ｍ３特に６０〜７０ｋｇ／ｍ３、２５％ＩＬＤ硬度１５〜４５ｋｇｆ／２００ｍｍφ特に１５〜３５ｋｇｆ／２００ｍｍφのポリウレタンフォームにて成形されることが好ましい。
【００４７】
この車両用シートパッド１に対し表皮材（図示略）が被着されることにより、車両用シートパッドの製品となる。
【００４８】
このように構成された車両用シートパッド１の座面に着座すると、乗員の尻が座面に接触した当初は凸部９のみが圧縮変形し、乗員はソフトな感触を感取する。その後、尻が沈み込んでゆき凸部９がさらに圧縮変形すると、凸部９の反発力が強くなり、乗員の身体が安定する。
【００４９】
特に、上記の各数値範囲とすることにより、この尻の接触当初のソフト感及びその後の身体安定感が良好となる。
【００５０】
なお、凸部９の頂面が平坦であるため、乗員の身体の触感が良好である。また、溝８の幅ｗ、凸部９の高さｈ及び凸部体積率が上記範囲であると、着座したときに溝８が尻に感取されにくく、触感が良い。また、凸部９が基端から先端まで均一断面形状であるため、圧縮変形時の応力歪曲線の勾配がなだらかとなり、着座感が良好である。
【００５１】
溝８の深さｈと凸部９の水平断面積の大きさが上記範囲であると、着座時に凸部９が座屈することなく圧縮変形するようになる。そのため、着座感が良好となる。
【００５２】
［別形状の凸部の説明］
第１図〜第３図の実施の形態においては、凸部９は、その高さ方向において水平断面積（座面などパッド表面と平行面の断面積）が一定であり、座面と垂直な断面が角形であり、基端（下端）から先端（上端）に至るまで幅ｔが均一となっているが、本発明は、これに限定されない。例えば、凸部９は下端よりも上端の方が水平断面積が小さく、凸部は上方ほど幅ｔが小さくなる台形、半円形、半楕円形又は逆Ｕ字形などの断面（座面と垂直な断面）形状であってもよい。また、第４図の凸部９Ａのように、基端側や上端側の角縁を曲面とするようにＲ付けしてもよい。このＲ付けの曲率半径は１〜２０ｍｍ特に１〜１０ｍｍ程度（深さｈの半分程度の値）が好適である。この基端側の角縁とは凸部９Ａの側面と溝８の底面との隅角であり、上端側の角縁とは、凸部９Ａの側面と頂面との交差角縁である。
【００５３】
このように角縁を曲面とすることにより、凸部の耐久性が向上する。
【００５４】
なお、第４図の凸部９Ａでは、基端側の角縁の曲面と上端側の角縁の曲面とが直接に連なっており、これにより、凸部９Ａの側面は曲面のみによって構成されている。かかる凸部９Ａは耐久性が良好である。
【００５５】
なお、この凸部９Ａは高さ方向において水平断面積が変化する。この凸部９Ａのように、高さ方向において水平断面積が変化する凸部においても、前記凸部９と同様に、高さは５〜２０ｍｍ特に１０〜１５ｍｍ、高さ方向の中間における水平断面積が２５〜４００ｍｍ２特に１００〜２２５ｍｍ２、凸部の体積率は１０〜８０％特に４０〜６０％であることが好ましい。
【００５６】
第１〜６図では、凸部９の平面視形状（乗員当接面と正対視した形状）は正方形となっているが、この形状は長方形、楕円形又は細長い帯形等であってもよく、三角形であってもよく、六角形等の多角形であってもよく、円形であってもよい。
【００５７】
［凸部の形成方法］
凸部９を形成するには、脱型後にシートパッドに切削加工を施して溝８を縦横に形成してもよいが、凸部形成用の凹部を設けた金型を用いて成形してもよく、厚み方向に多数の孔が貫通した板状体を下型のキャビティ面に配置して成形してもよい。
【００５８】
このような板状体を用いて車両用シートパッドを成形する金型２０及び板状体３０の一例について第５〜７図を参照して説明する。第５図は金型２０の断面、第６図は板状体の斜視図、第７図は第６図のVII−VII線断面図である。
【００５９】
この金型２０は、上型２１と下型２２とを有している。なお、必要に応じ、中子が上型２１に取り付けられてもよい。下型２２には、表皮材の吊込溝５，６を形成するための凸条２３が設けられている。
【００６０】
前記凸部９及び溝８を形成するために、キャビティ２５の底面（下型２２の上面）のうち腿下部２を形成する面に板状体３０が配置されている。板状体３０は、好ましくは金属製であるが、これに限定されない。板状体３０は、ボルト、平面ファスナなどの固定用部材によって下型２２に留め付けられるのが好ましいが、マグネットによって固定してもよい。板状体３０を金型に固定せず、成形体と共に脱型されるようにしてもよい。
【００６１】
この板状体３０には、厚み方向に貫通する多数の孔３１が設けられている。
【００６２】
この金型２０を用いてシートパッドを成形するには、下型２２に板状体３０をセットし、ウレタン原液を下型２２内に供給した後、型締めし、加熱して発泡させ、その後、脱型すればよい。板状体３０が下型２２に固定されている場合には、脱型により成形体が得られる。上記の通り、板状体３０が成形品と共に脱型され、脱型後に板状体３０が成形品から取り外されてもよい。
【００６３】
なお、孔３１の大きさや配列、深さ（板状体３０の厚さ）は、凸部９の大きさ、配列、高さの通りとなる。
【００６４】
この金型２０を用いて車両用シートパッドを成形する場合、板状体３０とキャビティ２５の底面との間に若干ながら隙間が存在するので、発泡しつつある樹脂が孔３１内に入り込んでいく場合、ガスをこの隙間に逃がすことができ、樹脂を孔３１内の奥底にまで充填させることができる。これにより、欠肉部のない凸部９を形成することができる。
【００６５】
また、板状体３０を孔３１の大きさ、配列、数などが異なるものに交換することにより、同一の金型本体（上型２１と下型２２）を用いて別形状の凸部を有した車両用シートパッドを成形することができる。そのため、金型コストを低減することができる。
【００６６】
板状体の別例を第８図、第９図に基づいて説明する。
【００６７】
第８図の板状体４０は、円形の孔４１を設けたものである。円形の代わりに楕円形や多角形の孔を設けてもよい。第９図の板状体５０は、孔５１同士の間の梁状部分を板状体５０の側辺から突出させて突出部５２を形成した、井桁状のものである。図示は省略するが、本発明ではこれら以外の各種形状の板状体を用いることができる。
【００６８】
［異なる高さの凸部を設けた車両用シートパッド］
上記実施の形態では凸部の高さ（溝の深さ）は均等であるが、部分的に溝を深くして凸部の高さを他の凸部よりも高くしてもよい。
【００６９】
第１０図の運転席用の車両用シートパッド６１は、腿下部６２に凸部及び溝を設けて腿下部６２をソフトにしていると共に、さらにこの腿下部６２のうちでも右腿下部６３の凸部高さ（溝深さ）を大きくして右腿下部６３をよりソフトにしたものである。右腿下部６３は、運転席の場合、ブレーキやアクセルペダルを操作するときに押し付けられる領域であるので、この右腿下部６３をよりソフトとすることにより、運転者の快適性が向上する。右腿下部６３の凸部の高さは、その他の腿下部６２における凸部の高さの１．１〜２．０倍、特に１．２〜１．５倍程度が好適である。
【００７０】
［凸部を他の領域に設けた車両用シートパッドの説明］
上記実施の形態では腿下部２にソフト化のために溝８及び凸部９を設けているが、腿下部２及び尻下部３に溝及び凸部を設けてもよく、その他の部位に設けてもよい。また、本発明は、シートバックパッドに対しても適用できる。
【００７１】
第１１図のシートパッド７１は、座面後部の左右１対の骨盤接触部７３を平坦とし、骨盤をしっかりと支持するようにし、その他の座面７２については上記のように凸部及び溝を設け、ソフト化したものである。第１１図では、骨盤接触部７３は直径が２０〜１００ｍｍ程度の円形領域であるが、これと略同等の面積の方形、多角形、楕円形などであってもよい。骨盤接触部７３，７３の中心間の距離は１５０〜２５０ｍｍ程度が好ましい。
【００７２】
第１２図の車両用シートパッド８１は、サイド土手部８２に凸部及び溝を設けてサイド土手部８２をソフト化したものである。第１２図では、左右のサイド土手部８２をソフト化しているが、ドア側のサイド土手部８２のみに凸部及び溝を設けてソフト化してもよい。このようにすれば、ドアを開けて出入りするときにサイド土手部が変形し易く、乗降動作が楽になる。
【００７３】
第１３図はシートバックパッドの一部の領域に凸部及び溝を設けてソフト化した実施の形態を説明するシートバックパッド９０の正面図である。
【００７４】
第１３図の通り、シートバックパッド９０の前面の左右両サイドに、上下方向に延在する表皮吊込溝９１，９１が設けられている。この表皮吊込溝９１，９１をつなぐように、左右方向に延在した表皮吊込溝９２，９３が設けられている。上側の表皮吊込溝９２の上側の、２点鎖線で囲まれた背中上部９４に凸部及び溝を設けることにより、この領域のソフト感が高いものとなる。なお、このシートバックパッド背中上部９４に凸部及び溝を設ける場合、凸部の高さ（溝の深さ）は、シートクッションパッドに設けられる凸部よりも大きい（例えば１．１〜２．０倍）ものとし、ストローク感を高めるようにしてもよい。
【００７５】
表皮吊込溝９２，９３の間の領域９５や、表皮吊込溝９３の下側の腰椎部９６は凸部及び溝を設けていないが、領域９５については低い凸部及び浅い溝を設けてもよい。
【００７６】
また、肩や上腕が当る左右の上部のサイド部９７に凸部及び溝を設けてソフト化してもよい。
【実施例】
【００７７】
以下、実施例及び比較例について説明する。便宜上まず、比較例１について説明する。
【００７８】
比較例１
密度６４ｋｇ／ｍ３，２５％ＩＬＤ硬度２４ｋｇｆ／２００ｍｍφのポリウレタンフォームよりなるシートパッドを製作し、その座面の荷重−ストローク曲線を求めた。なお、この測定には、直径２００ｍｍの負荷子を用い、この負荷子を速度０．８ｍｍ／ｓｅｃで座面に押し付け、反力を計測した。結果を第１４図に示す。
【００７９】
実施例１
比較例１のシートパッドの座面の３５ｃｍ×３５ｃｍの領域に切削加工を施すことにより、溝幅１０ｍｍ、溝深さ１０ｍｍ、溝ピッチ１０ｍｍにて直交２方向（前後左右）に延在する溝を設けた。これにより、一辺が１０ｍｍの正方形の頂面を有した高さ１０ｍｍの角柱状の凸部がこの領域に多数形成された。凸部の体積率は２５％である。この領域に、上記比較例１と同様に負荷子を押し当てて、荷重−ストローク曲線を求めた。結果を第１４図に示す。
【００８０】
比較例２
比較例１において、座面部分が深さ１０ｍｍの浅い凹所となっていること以外は、同様のシートパッド本体を製作した。
【００８１】
これとは別に、密度６２ｋｇ／ｍ３，２５％ＩＬＤ硬度２４ｋｇｆ／２００ｍｍφのスラブウレタンフォームよりなる厚さ１０ｍｍのスラブを製作した。
【００８２】
このスラブを上記シートパッド本体の凹所に接着剤で貼り付け、シートパッドを製作し、上記比較例１と同様に負荷子を押し当てて、荷重−ストローク曲線を求めた。結果を第１４図に示す。
【００８３】
［考察］
第１４図の通り、実施例１のシートパッドの荷重−ストローク曲線は、比較例２（スラブ貼り付けタイプ）のシートパッドの荷重−ストローク曲線と殆ど同様であり、本発明のシートパッドは表面のソフト感及び身体支承性に優れることが認められた。
【００８４】
一方、比較例１では、実施例１及び比較例２に比べ、ストロークが約１ｍｍを超えると荷重が顕著に大きくなるところから、ソフト感に欠けることが認められる。
【図面の簡単な説明】
【００８５】
【図１】実施の形態に係る車両用シートパッドの平面図である。
【図２】座面の拡大斜視図である。
【図３】第２図のIII−III線に沿う断面図である。
【図４】凸部の別形状を示す断面図である。
【図５】実施の形態に係る製造方法に用いる金型の断面図である。
【図６】板状体の斜視図である。
【図７】第６図のVII−VII線断面図である。
【図８】板状体の別例を示す平面図である。
【図９】板状体のさらに別例を示す平面図である。
【図１０】別の実施の形態に係るシートパッドの平面図である。
【図１１】別の実施の形態に係るシートパッドの平面図である。
【図１２】別の実施の形態に係るシートパッドの平面図である。
【図１３】実施の形態に係るバックパッドの正面図である。
【図１４】実施例及び比較例の結果を示すグラフである。
【符号の説明】
【００８６】
１、６１，７１，８１  車両用シートパッド
２  腿下部
３  尻下部
８  溝
９，９Ａ  凸部
９０  シートバックパッド
【図１】
2009078142.tif 000003
【図２】
2009078142.tif 000004
【図３】
2009078142.tif 000005
【図４】
2009078142.tif 000006
【図５】
2009078142.tif 000007
【図６】
2009078142.tif 000008
【図７】
2009078142.tif 000009
【図８】
2009078142.tif 000010
【図９】
2009078142.tif 000011
【図１０】
2009078142.tif 000012
【図１１】
2009078142.tif 000013
【図１２】
2009078142.tif 000014
【図１３】
2009078142.tif 000015
【図１４】
2009078142.tif 000016